(57)【要約】【課題】  見本を自己の公開用ページに簡単に掲載することができ、公開用ページ開設者の嗜好をビジタに伝えることができる見本提供システムを提供する。【解決手段】  インターネット２上にブログサーバ３と着信メロディサーバ４を設け、各サーバ３，４にユーザ端末５ａ，５ｂ及びビジタ端末６を接続可能とする。ブログサーバ３にブログサイトを利用する為に予め登録したユーザのブログＩＤとパスワードとを関連付けられて記憶し、各ユーザに割り当てられた公開用ページを構築する設定内容を記憶する。この設定内容としては、公開用ページを構成する題名データやユーザーが書き込んだ日記データや試聴プレイヤ等が挙げられる。着信メロディサーバ４に、着信メロディサイトを利用する為に予め登録したユーザのユーザＩＤとパスワードをブログＩＤに関連付けて記憶し、着信メロディデータと試聴データと販売した着信メロディのリストを記憶する。【選択図】        図１
2006106808.tif 000002
【特許請求の範囲】
【請求項１】
ユーザが利用するユーザ端末と、ユーザに販売した商品のリスト及び商品見本を再生する為の見本データが前記商品に関連付けられて記憶された商品サーバと、ユーザの公開用ページを公開するブログサーバと、該ブログサーバでの公開用ページを閲覧するビジタが利用するビジタ端末とがネットワークを介して通信可能に接続されてなる見本提供システムであって、
前記ユーザ端末は、
当該ユーザ端末を利用するユーザの公開用ページに見本を掲載する旨を前記ブログサーバに要求する掲載要求手段と、
前記ブログサーバは、
前記ユーザ端末からの見本の掲載要求に応じて、当該ユーザ端末を利用するユーザが購入した商品のリストの送信を前記商品サーバに対して要求するリスト要求手段と、
前記商品サーバからのリストデータを受信し、前記ユーザ端末を利用するユーザに割り当てられた公開用ページを構築する為の設定内容に前記リストデータに基づいた掲載内容及び前記見本データを再生する見本再生手段を追加する設定内容追加手段と、
前記ビジタ端末からの閲覧要求に対して、前記公開用ページを示すページデータを閲覧要求したビジタ端末に送信するページデータ送信手段とを備え、
前記商品サーバは、
前記ブログサーバからの前記リストの送信要求に応じて、要求するユーザが購入した商品のリストを示すリストデータを前記ブログサーバに送信するリスト送信手段と、
前記見本データの要求に応じて、該見本データを見本データの要求元に送信する見本データ送信手段と、
前記ビジタ端末は、
前記ブログサーバに対して公開内容の閲覧を要求する閲覧要求手段と、
前記ブログサーバからのページデータを受信して、該ページデータが示す公開用ページを表示するとともに、当該公開用ページに設定された前記掲載内容を選択可能に表示する公開用ページ表示手段と、
前記公開用ページに選択可能に表示された前記掲載内容が選択された際に、該掲載内容に対応する見本データを要求する見本要求手段と、
前記見本データを受信した際に、該見本データを前記公開用ページに設定された前記見本再生手段を用いて再生する再生手段とを備えた
ことを特徴とする見本提供システム。
【請求項２】
前記ユーザ端末は、
前記ブログサーバからの選択肢データを受信し、該選択肢データが示す選択肢を選択可能に表示する選択肢表示手段と、
表示した選択肢より選択された選択肢を示す掲載内容データを前記ブログサーバに対して送信する掲載内容データ送信手段とを備え、
前記ブログサーバは、
前記商品サーバからのリストデータを受信した際に、該リストデータが示す商品を選択肢とする選択肢データを形成し、前記見本の掲載を要求したユーザ端末に前記選択肢データを送信する選択肢データ送信手段と、
前記ユーザ端末からの掲載内容データを受信した際に、当該ユーザ端末を利用するユーザに割り当てられた公開用ページの前記設定内容に前記掲載内容データが示す掲載内容を前記見本再生手段と共に追加する掲載内容追加手段とを備えた
ことを特徴とする請求項１記載の見本提供システム。
【請求項３】
前記ブログサーバは、
前記ビジタ端末から見本データの要求を受信した際に、該見本データの送信を前記商品サーバに要求する見本データ要求手段と、
前記商品サーバから見本データを受信した際に、該見本データを見本データを要求したビジタ端末に転送する見本データ転送手段とを備えた
ことを特徴とする請求項１又は２記載の見本提供システム。
【請求項４】
前記ブログサーバは、
前記リスト要求手段にて商品のリストの送信を前記商品サーバに対して要求する際に、前記ユーザ端末を利用するユーザに予め付与されたブログＩＤを前記商品サーバに送信し、
前記商品サーバは、
前記リスト送信手段にて前記ブログサーバからの前記リストの送信要求に応ずる際に、前記ブログＩＤの当該商品サーバへの登録が確認できた場合に前記リストデータを前記ブログサーバに送信することを特徴とした請求項１、２又は３記載の見本提供システム。
【請求項５】
前記ブログサーバは、
前記設定内容追加手段にて前記設定内容に前記掲載内容及び前記見本再生手段を追加する際に、前記ユーザ端末を利用するユーザに予め付与されたブログＩＤを前記設定内容に追加して記憶するとともに、
前記見本データ要求手段にて前記見本データの送信を前記商品サーバに要求する際に、当該公開用ページの前記設定内容から前記ブログＩＤを取得して該ブログＩＤを前記商品サーバに送信する一方、
前記商品サーバは、
前記見本データ送信手段にて前記見本データの要求に応ずる際に、前記ブログＩＤの当該商品サーバへの登録の確認ができた場合に前記見本データを前記ブログサーバに送信することを特徴とした請求項３又は４記載の見本提供システム。
【請求項６】
ユーザが利用するユーザ端末と、ユーザに販売した商品のリスト及び商品見本を再生する為の見本データが前記商品に関連付けられて記憶された商品サーバと、ビジタが利用するビジタ端末とにネットワークを介して接続され、ユーザの公開用ページをビジタに閲覧可能に公開するサーバであって、
前記ユーザ端末から該ユーザ端末を利用するユーザの公開用ページに見本を掲載する旨の掲載要求を受信した際に、当該ユーザ端末を利用するユーザが購入した商品のリストの送信を前記商品サーバに対して要求するリスト要求手段と、
前記商品サーバから前記商品のリストを示すリストデータを受信した際に、前記ユーザ端末を利用するユーザに割り当てられた公開用ページを構築する為の設定内容に前記リストデータに基づいた掲載内容及び前記見本データを再生する見本再生手段を追加する設定内容追加手段と、
前記ビジタ端末から公開内容の閲覧を要求する閲覧要求を受信した際に、前記公開用ページを示すページデータを閲覧要求したビジタ端末に表示可能な形態で送信するページデータ送信手段と、
を備えたことを特徴とするサーバ。
【請求項７】
前記商品サーバからの前記リストデータを受信した際に、該リストデータが示す商品を選択肢とする選択肢データを形成し、前記見本の掲載を要求したユーザ端末に前記選択肢データを送信する選択肢データ送信手段と、
前記選択肢データが示す選択肢より選択された選択肢を示す掲載内容データを前記ユーザ端末から受信した際に、当該ユーザ端末を利用するユーザに割り当てられた公開用ページの前記設定内容に前記掲載内容データが示す掲載内容を前記見本再生手段と共に追加する掲載内容追加手段と、
を備えたことを特徴とする請求項６記載のサーバ。
【請求項８】
前記ビジタ端末から見本データの要求を受信した際に、該見本データの送信を前記商品サーバに要求する見本データ要求手段と、
前記商品サーバから見本データを受信した際に、該見本データを見本データを要求したビジタ端末に転送する見本データ転送手段と、
を備えたことを特徴とする請求項６又は７記載のサーバ。
【請求項９】
前記リスト要求手段にて商品のリストの送信を前記商品サーバに対して要求する際に、前記ユーザ端末を利用するユーザに予め付与されたブログＩＤを前記商品サーバに送信し、前記ブログＩＤの前記商品サーバへの登録の確認を受けてから前記リストデータを取得することを特徴とした請求項６、７又は８記載のサーバ。
【請求項１０】
前記設定内容追加手段にて前記設定内容に前記掲載内容及び前記見本再生手段を追加する際に、前記ユーザ端末を利用するユーザに予め付与されたブログＩＤを前記設定内容に追加して記憶するとともに、
前記見本データ要求手段にて前記見本データの送信を前記商品サーバに要求する際に、当該公開用ページの前記設定内容から前記ブログＩＤを取得して該ブログＩＤを前記商品サーバに送信し、前記ブログＩＤの前記商品サーバへの登録の確認を受けてから前記見本データを取得することを特徴とした請求項８又は９記載のサーバ。
【請求項１１】
ユーザが利用するユーザ端末と、ユーザに販売した商品のリスト及び商品見本を再生する為の見本データが前記商品に関連付けられて記憶された商品サーバと、ビジタが利用するビジタ端末とにネットワークを介して接続され、ユーザの公開用ページをビジタに閲覧可能に公開するサーバにおいて、
前記ユーザ端末から該ユーザ端末を利用するユーザの公開用ページに見本を掲載する旨の掲載要求を受信した際に、当該ユーザ端末を利用するユーザが購入した商品のリストの送信を前記商品サーバに対して要求するリスト要求ステップと、
前記商品サーバから前記商品のリストを示すリストデータを受信した際に、前記ユーザ端末を利用するユーザに割り当てられた公開用ページを構築する為の設定内容に前記リストデータに基づいた掲載内容及び前記見本データを再生する見本再生手段を追加する設定内容追加ステップと、
前記ビジタ端末から公開内容の閲覧を要求する閲覧要求を受信した際に、前記公開用ページを示すページデータを閲覧要求したビジタ端末に表示可能な形態で送信するページデータ送信ステップと、
を備えたことを特徴とする見本提供方法。
【請求項１２】
前記商品サーバからの前記リストデータを受信した際に、該リストデータが示す商品を選択肢とする選択肢データを形成し、前記見本の掲載を要求したユーザ端末に前記選択肢データを送信する選択肢データ送信ステップと、
前記選択肢データが示す選択肢より選択された選択肢を示す掲載内容データを前記ユーザ端末から受信した際に、当該ユーザ端末を利用するユーザに割り当てられた公開用ページの前記設定内容に前記掲載内容データが示す掲載内容を前記見本再生手段と共に追加する掲載内容追加ステップと、
を備えたことを特徴とする請求項１１記載の見本提供方法。
【請求項１３】
前記ビジタ端末から見本データの要求を受信した際に、該見本データの送信を前記商品サーバに要求する見本データ要求ステップと、
前記商品サーバから見本データを受信した際に、該見本データを見本データを要求したビジタ端末に転送する見本データ転送ステップと、
を備えたことを特徴とする請求項１１又は１２記載の見本提供方法。
【請求項１４】
前記リスト要求ステップにて商品のリストの送信を前記商品サーバに対して要求する際に、前記ユーザ端末を利用するユーザに予め付与されたブログＩＤを前記商品サーバに送信し、前記ブログＩＤの前記商品サーバへの登録の確認を受けてから前記リストデータを取得することを特徴とした請求項１１、１２又は１３記載の見本提供方法。
【請求項１５】
前記設定内容追加ステップにて前記設定内容に前記掲載内容及び前記見本再生手段を追加する際に、前記ユーザ端末を利用するユーザに予め付与されたブログＩＤを前記設定内容に追加して記憶するとともに、
前記見本データ要求ステップにて前記見本データの送信を前記商品サーバに要求する際に、当該公開用ページの前記設定内容から前記ブログＩＤを取得して該ブログＩＤを前記商品サーバに送信し、前記ブログＩＤの前記商品サーバへの登録の確認を受けてから前記見本データを取得することを特徴とした請求項１３又は１４記載の見本提供方法。
【請求項１６】
ユーザが利用するユーザ端末と、ユーザに販売した商品のリスト及び商品見本を再生する為の見本データが前記商品に関連付けられて記憶された商品サーバと、ビジタが利用するビジタ端末とにネットワークを介して接続され、ユーザの公開用ページをビジタに閲覧可能に公開するサーバのコンピュータに実行させる見本提供プログラムであって、
前記ユーザ端末から該ユーザ端末を利用するユーザの公開用ページに見本を掲載する旨の掲載要求を受信した際に、当該ユーザ端末を利用するユーザが購入した商品のリストの送信を前記商品サーバに対して要求するリスト要求手順と、
前記商品サーバから前記商品のリストを示すリストデータを受信した際に、前記ユーザ端末を利用するユーザに割り当てられた公開用ページを構築する為の設定内容に前記リストデータに基づいた掲載内容及び前記見本データを再生する見本再生手段を追加する設定内容追加手順と、
前記ビジタ端末から公開内容の閲覧を要求する閲覧要求を受信した際に、前記公開用ページを示すページデータを閲覧要求したビジタ端末に表示可能な形態で送信するページデータ送信手順と、
を備えたことを特徴とする見本提供プログラム。
【請求項１７】
前記商品サーバからの前記リストデータを受信した際に、該リストデータが示す商品を選択肢とする選択肢データを形成し、前記見本の掲載を要求したユーザ端末に前記選択肢データを送信する選択肢データ送信手順と、
前記選択肢データが示す選択肢より選択された選択肢を示す掲載内容データを前記ユーザ端末から受信した際に、当該ユーザ端末を利用するユーザに割り当てられた公開用ページの前記設定内容に前記掲載内容データが示す掲載内容を前記見本再生手段と共に追加する掲載内容追加手順と、
を備えたことを特徴とする請求項１６記載の見本提供プログラム。
【請求項１８】
前記ビジタ端末から見本データの要求を受信した際に、該見本データの送信を前記商品サーバに要求する見本データ要求手順と、
前記商品サーバから見本データを受信した際に、該見本データを見本データを要求したビジタ端末に転送する見本データ転送手順と、
を備えたことを特徴とする請求項１６又は１７記載の見本提供プログラム。
【請求項１９】
前記リスト要求手順にて商品のリストの送信を前記商品サーバに対して要求する際に、前記ユーザ端末を利用するユーザに予め付与されたブログＩＤを前記商品サーバに送信し、前記ブログＩＤの前記商品サーバへの登録の確認を受けてから前記リストデータを取得することを特徴とした請求項１６、１７又は１８記載の見本提供プログラム。
【請求項２０】
前記設定内容追加手順にて前記設定内容に前記掲載内容及び前記見本再生手段を追加する際に、前記ユーザ端末を利用するユーザに予め付与されたブログＩＤを前記設定内容に追加して記憶するとともに、
前記見本データ要求手順にて前記見本データの送信を前記商品サーバに要求する際に、当該公開用ページの前記設定内容から前記ブログＩＤを取得して該ブログＩＤを前記商品サーバに送信し、前記ブログＩＤの前記商品サーバへの登録の確認を受けてから前記見本データを取得することを特徴とした請求項１８又は１９記載の見本提供プログラム。
【発明の詳細な説明】
【技術分野】
【０００１】
本発明は、例えば着信メロディの試聴を可能とする見本提供システムに関する。
【背景技術】
【０００２】
今日、インターネットを介してＰＣ（パソコン）や携帯電話上で試聴プレイヤを起動させて試聴するビジネスモデルが登場している。これにより、ユーザは好きなアーティストの曲を試聴してから購入することができる。
【０００３】
この場合、ＰＣや携帯電話に試聴用のソフトをダウンロードすることにより、そのソフトを起動させて試聴を実現している（非特許文献１）。
【０００４】
もちろん、フラッシュを用いてウェブ上で簡単に試聴できるものもある。
【非特許文献１】ボチイコブログ  インターネット＜ＵＲＬ：http://miyabijgem.cc/＞
【発明の開示】
【発明が解決しようとする課題】
【０００５】
しかしながら、これらのシステムにあっては、ユーザが見本である試聴データを自己の公開用ページに掲載するには、ＨＴＭＬ形式の記述を要する等、手間が掛かり苦労を要した。
【０００６】
本発明は、このような従来の課題に鑑みてなされたものであり、見本を自己の公開用ページに簡単に掲載することができ、公開用ページ開設者の嗜好をビジタに伝えることができる見本提供システムを提供することを目的とするものである。
【課題を解決するための手段】
【０００７】
前記課題を解決するために本発明の一実施の形態に係る見本提供システムにおいては、ユーザが利用するユーザ端末と、ユーザに販売した商品のリスト及び商品見本を再生する為の見本データが前記商品に関連付けられて記憶された商品サーバと、ユーザの公開用ページを公開するブログサーバと、該ブログサーバでの公開用ページを閲覧するビジタが利用するビジタ端末とがネットワークを介して通信可能に接続されてなる見本提供システムであって、前記ユーザ端末は、当該ユーザ端末を利用するユーザの公開用ページに見本を掲載する旨を前記ブログサーバに要求する掲載要求手段と、前記ブログサーバは、前記ユーザ端末からの見本の掲載要求に応じて、当該ユーザ端末を利用するユーザが購入した商品のリストの送信を前記商品サーバに対して要求するリスト要求手段と、前記商品サーバからのリストデータを受信し、前記ユーザ端末を利用するユーザに割り当てられた公開用ページを構築する為の設定内容に前記リストデータに基づいた掲載内容及び前記見本データを再生する見本再生手段を追加する設定内容追加手段と、前記ビジタ端末からの閲覧要求に対して、前記公開用ページを示すページデータを閲覧要求したビジタ端末に送信するページデータ送信手段とを備え、前記商品サーバは、前記ブログサーバからの前記リストの送信要求に応じて、要求するユーザが購入した商品のリストを示すリストデータを前記ブログサーバに送信するリスト送信手段と、前記見本データの要求に応じて、該見本データを見本データの要求元に送信する見本データ送信手段と、前記ビジタ端末は、前記ブログサーバに対して公開内容の閲覧を要求する閲覧要求手段と、前記ブログサーバからのページデータを受信して、該ページデータが示す公開用ページを表示するとともに、当該公開用ページに設定された前記掲載内容を選択可能に表示する公開用ページ表示手段と、前記公開用ページに選択可能に表示された前記掲載内容が選択された際に、該掲載内容に対応する見本データを要求する見本要求手段と、前記見本データを受信した際に、該見本データを前記公開用ページに設定された前記見本再生手段を用いて再生する再生手段とを備えている。
【０００８】
また、前記ユーザ端末は、前記ブログサーバからの選択肢データを受信し、該選択肢データが示す選択肢を選択可能に表示する選択肢表示手段と、表示した選択肢より選択された選択肢を示す掲載内容データを前記ブログサーバに対して送信する掲載内容データ送信手段とを備え、前記ブログサーバは、前記商品サーバからのリストデータを受信した際に、該リストデータが示す商品を選択肢とする選択肢データを形成し、前記見本の掲載を要求したユーザ端末に前記選択肢データを送信する選択肢データ送信手段と、前記ユーザ端末からの掲載内容データを受信した際に、当該ユーザ端末を利用するユーザに割り当てられた公開用ページの前記設定内容に前記掲載内容データが示す掲載内容を前記見本再生手段と共に追加する掲載内容追加手段とを備えている。
【０００９】
さらに、前記ブログサーバは、前記ビジタ端末から見本データの要求を受信した際に、該見本データの送信を前記商品サーバに要求する見本データ要求手段と、前記商品サーバから見本データを受信した際に、該見本データを見本データを要求したビジタ端末に転送する見本データ転送手段とを備えている。
【００１０】
すなわち、ユーザが公開用ページに見本を掲載する際には、ユーザ端末を利用して見本を掲載する旨をブログサーバに要求すると、ブログサーバでは、前記ユーザ端末を利用するユーザが購入した商品のリストの送信を商品サーバに対して要求する。これを受けた商品サーバでは、要求するユーザが購入した商品のリストを示すリストデータを前記ブログサーバに送信するので、このリストデータが示す商品を選択肢とする選択肢データを形成し、前記見本の掲載を要求したユーザ端末に前記選択肢データを送信する。
【００１１】
該選択肢データを受信したユーザ端末では、前記選択肢データが示す選択肢を選択可能に表示し、表示した選択肢よりいずれかが選択された際には、この選択された選択肢を示す掲載内容データを前記ブログサーバに対して送信する。すると、該ブログサーバでは、前記ユーザ端末を利用するユーザに割り当てられた公開用ページの前記設定内容に、前記掲載内容データが示す掲載内容と見本データを再生する見本再生手段とが追加され、前記公開用ページが更新される。
【００１２】
そして、ビジタが前記ブログサーバで公開されたページを閲覧する際には、ビジタ端末を利用して前記ブログサーバに対し公開内容の閲覧を要求する。すると、前記ブログサーバでは、前記公開用ページを示すページデータを閲覧要求したビジタ端末に送信するので、該ビジタ端末には、前記ページデータが示す公開用ページが表示されるとともに、当該公開用ページに設定された前記掲載内容が選択可能に表示される。このビジタ端末において、前記掲載内容が選択された際には、該掲載内容を示す掲載内容要求データが前記ブログサーバに送信されるので、該ブログサーバでは、前記掲載内容要求データが示す商品に関連付けられた商品見本を示す見本データの送信を前記商品サーバに要求する。
【００１３】
これを受けた商品サーバは、前記ブログサーバからの前記見本データの要求に応じて、該見本データを前記ブログサーバに送信し、該ブログサーバでは、前記見本データを前記掲載内容要求データを送信したビジタ端末に転送する。すると、該ビジタ端末では、前記公開用ページに設定された見本再生手段によって前記見本データが再生される。
【００１４】
このように、ユーザは、商品サーバから購入した商品の商品見本を自己の公開用ページに選択的に集め、再生可能に掲載することができる。
【００１５】
加えて、前記ブログサーバは、前記リスト要求手段にて商品のリストの送信を前記商品サーバに対して要求する際に、前記ユーザ端末を利用するユーザに予め付与されたブログＩＤを前記商品サーバに送信し、前記商品サーバは、前記リスト送信手段にて前記ブログサーバからの前記リストの送信要求に応ずる際に、前記ブログＩＤの当該商品サーバへの登録が確認できた場合に前記リストデータを前記ブログサーバに送信する。
【００１６】
これにより、ユーザによる商品サーバへのＩＤやパスワードの入力を行うこと無く、当該ユーザが購入した商品のリストを入手することができる。
【００１７】
また、前記ブログサーバは、前記設定内容追加手段にて前記設定内容に前記掲載内容及び前記見本再生手段を追加する際に、前記ユーザ端末を利用するユーザに予め付与されたブログＩＤを前記設定内容に追加して記憶するとともに、前記見本データ要求手段にて前記見本データの送信を前記商品サーバに要求する際に、当該公開用ページの前記設定内容から前記ブログＩＤを取得して該ブログＩＤを前記商品サーバに送信する一方、前記商品サーバは、前記見本データ送信手段にて前記見本データの要求に応ずる際に、前記ブログＩＤの当該商品サーバへの登録の確認ができた場合に前記見本データを前記ブログサーバに送信する。
【００１８】
これにより、商品サーバ登録のＩＤやパスワードを前記公開用ページに記憶させる場合と比較して、セキュリティを高めることができる。
【００１９】
また、前記見本データ送信時に前記ブログＩＤの登録を確認することで、当該ユーザの前記商品サーバのサービスへの加入状態に応じて、前記見本データの提供を停止することができる。
【００２０】
そして、本発明の一実施の形態に係るサーバにおいてはユーザが利用するユーザ端末と、ユーザに販売した商品のリスト及び商品見本を再生する為の見本データが前記商品に関連付けられて記憶された商品サーバと、ビジタが利用するビジタ端末とにネットワークを介して接続され、ユーザの公開用ページをビジタに閲覧可能に公開するサーバであって、前記ユーザ端末から該ユーザ端末を利用するユーザの公開用ページに見本を掲載する旨の掲載要求を受信した際に、当該ユーザ端末を利用するユーザが購入した商品のリストの送信を前記商品サーバに対して要求するリスト要求手段と、前記商品サーバから前記商品のリストを示すリストデータを受信した際に、前記ユーザ端末を利用するユーザに割り当てられた公開用ページを構築する為の設定内容に前記リストデータに基づいた掲載内容及び前記見本データを再生する見本再生手段を追加する設定内容追加手段と、前記ビジタ端末から公開内容の閲覧を要求する閲覧要求を受信した際に、前記公開用ページを示すページデータを閲覧要求したビジタ端末に表示可能な形態で送信するページデータ送信手段と、を備えている。
【００２１】
また、前記商品サーバからの前記リストデータを受信した際に、該リストデータが示す商品を選択肢とする選択肢データを形成し、前記見本の掲載を要求したユーザ端末に前記選択肢データを送信する選択肢データ送信手段と、前記選択肢データが示す選択肢より選択された選択肢を示す掲載内容データを前記ユーザ端末から受信した際に、当該ユーザ端末を利用するユーザに割り当てられた公開用ページの前記設定内容に前記掲載内容データが示す掲載内容を前記見本再生手段と共に追加する掲載内容追加手段とを備えている。
【００２２】
さらに、前記ビジタ端末から見本データの要求を受信した際に、該見本データの送信を前記商品サーバに要求する見本データ要求手段と、前記商品サーバから見本データを受信した際に、該見本データを見本データを要求したビジタ端末に転送する見本データ転送手段と、を備えている。
【００２３】
加えて、前記リスト要求手段にて商品のリストの送信を前記商品サーバに対して要求する際に、前記ユーザ端末を利用するユーザに予め付与されたブログＩＤを前記商品サーバに送信し、前記ブログＩＤの前記商品サーバへの登録の確認を受けてから前記リストデータを取得する。
【００２４】
また、前記設定内容追加手段にて前記設定内容に前記掲載内容及び前記見本再生手段を追加する際に、前記ユーザ端末を利用するユーザに予め付与されたブログＩＤを前記設定内容に追加して記憶するとともに、前記見本データ要求手段にて前記見本データの送信を前記商品サーバに要求する際に、当該公開用ページの前記設定内容から前記ブログＩＤを取得して該ブログＩＤを前記商品サーバに送信し、前記ブログＩＤの前記商品サーバへの登録の確認を受けてから前記見本データを取得する。
【００２５】
これにより、このサーバに、前記ユーザ端末と前記商品サーバと前記ビジタ端末とを接続して所定の操作を行うことによって、前述と同様の作用効果を奏する。
【００２６】
そして、本発明の一実施の形態に係る見本提供方法においてはユーザが利用するユーザ端末と、ユーザに販売した商品のリスト及び商品見本を再生する為の見本データが前記商品に関連付けられて記憶された商品サーバと、ビジタが利用するビジタ端末とにネットワークを介して接続され、ユーザの公開用ページをビジタに閲覧可能に公開するサーバにおいて、前記ユーザ端末から該ユーザ端末を利用するユーザの公開用ページに見本を掲載する旨の掲載要求を受信した際に、当該ユーザ端末を利用するユーザが購入した商品のリストの送信を前記商品サーバに対して要求するリスト要求ステップと、前記商品サーバから前記商品のリストを示すリストデータを受信した際に、前記ユーザ端末を利用するユーザに割り当てられた公開用ページを構築する為の設定内容に前記リストデータに基づいた掲載内容及び前記見本データを再生する見本再生手段を追加する設定内容追加ステップと、前記ビジタ端末から公開内容の閲覧を要求する閲覧要求を受信した際に、前記公開用ページを示すページデータを閲覧要求したビジタ端末に表示可能な形態で送信するページデータ送信ステップと、を備えている。
【００２７】
また、前記商品サーバからの前記リストデータを受信した際に、該リストデータが示す商品を選択肢とする選択肢データを形成し、前記見本の掲載を要求したユーザ端末に前記選択肢データを送信する選択肢データ送信ステップと、前記選択肢データが示す選択肢より選択された選択肢を示す掲載内容データを前記ユーザ端末から受信した際に、当該ユーザ端末を利用するユーザに割り当てられた公開用ページの前記設定内容に前記掲載内容データが示す掲載内容を前記見本再生手段と共に追加する掲載内容追加ステップと、を備えている。
【００２８】
さらに、前記ビジタ端末から見本データの要求を受信した際に、該見本データの送信を前記商品サーバに要求する見本データ要求ステップと、前記商品サーバから見本データを受信した際に、該見本データを見本データを要求したビジタ端末に転送する見本データ転送ステップと、を備えている。
【００２９】
加えて、前記リスト要求ステップにて商品のリストの送信を前記商品サーバに対して要求する際に、前記ユーザ端末を利用するユーザに予め付与されたブログＩＤを前記商品サーバに送信し、前記ブログＩＤの前記商品サーバへの登録の確認を受けてから前記リストデータを取得する。
【００３０】
また、前記設定内容追加ステップにて前記設定内容に前記掲載内容及び前記見本再生手段を追加する際に、前記ユーザ端末を利用するユーザに予め付与されたブログＩＤを前記設定内容に追加して記憶するとともに、前記見本データ要求ステップにて前記見本データの送信を前記商品サーバに要求する際に、当該公開用ページの前記設定内容から前記ブログＩＤを取得して該ブログＩＤを前記商品サーバに送信し、前記ブログＩＤの前記商品サーバへの登録の確認を受けてから前記見本データを取得する。
【００３１】
これにより、これらの処理をサーバに実行させることにより、前述と同様の作用効果を得ることが可能となる。よって、記載される処理をコンピュータなどのハードウエアを用いて実行することにより、これらのハードウエアで本発明の一実施の形態に係る見本提供技術が容易に実施することができる。
【００３２】
そして、本発明の一実施の形態に係る見本提供プログラムにおいてはユーザが利用するユーザ端末と、ユーザに販売した商品のリスト及び商品見本を再生する為の見本データが前記商品に関連付けられて記憶された商品サーバと、ビジタが利用するビジタ端末とにネットワークを介して接続され、ユーザの公開用ページをビジタに閲覧可能に公開するサーバのコンピュータに実行させる見本提供プログラムであって、前記ユーザ端末から該ユーザ端末を利用するユーザの公開用ページに見本を掲載する旨の掲載要求を受信した際に、当該ユーザ端末を利用するユーザが購入した商品のリストの送信を前記商品サーバに対して要求するリスト要求手順と、前記商品サーバから前記商品のリストを示すリストデータを受信した際に、前記ユーザ端末を利用するユーザに割り当てられた公開用ページを構築する為の設定内容に前記リストデータに基づいた掲載内容及び前記見本データを再生する見本再生手段を追加する設定内容追加手順と、前記ビジタ端末から公開内容の閲覧を要求する閲覧要求を受信した際に、前記公開用ページを示すページデータを閲覧要求したビジタ端末に表示可能な形態で送信するページデータ送信手順と、を備えている。
【００３３】
また、前記商品サーバからの前記リストデータを受信した際に、該リストデータが示す商品を選択肢とする選択肢データを形成し、前記見本の掲載を要求したユーザ端末に前記選択肢データを送信する選択肢データ送信手順と、前記選択肢データが示す選択肢より選択された選択肢を示す掲載内容データを前記ユーザ端末から受信した際に、当該ユーザ端末を利用するユーザに割り当てられた公開用ページの前記設定内容に前記掲載内容データが示す掲載内容を前記見本再生手段と共に追加する掲載内容追加手順と、を備えている。
【００３４】
さらに、前記ビジタ端末から見本データの要求を受信した際に、該見本データの送信を前記商品サーバに要求する見本データ要求手順と、前記商品サーバから見本データを受信した際に、該見本データを見本データを要求したビジタ端末に転送する見本データ転送手順と、を備えている。
【００３５】
加えて、前記リスト要求手順にて商品のリストの送信を前記商品サーバに対して要求する際に、前記ユーザ端末を利用するユーザに予め付与されたブログＩＤを前記商品サーバに送信し、前記ブログＩＤの前記商品サーバへの登録の確認を受けてから前記リストデータを取得する。
【００３６】
また、前記設定内容追加手順にて前記設定内容に前記掲載内容及び前記見本再生手段を追加する際に、前記ユーザ端末を利用するユーザに予め付与されたブログＩＤを前記設定内容に追加して記憶するとともに、前記見本データ要求手順にて前記見本データの送信を前記商品サーバに要求する際に、当該公開用ページの前記設定内容から前記ブログＩＤを取得して該ブログＩＤを前記商品サーバに送信し、前記ブログＩＤの前記商品サーバへの登録の確認を受けてから前記見本データを取得する。
【００３７】
これにより、前記コンピュータがこのプログラムに従って処理を実行することにより、前述と同様の作用効果を奏する。
【発明の効果】
【００３８】
以上説明したように本発明にあっては、商品サーバから購入した商品の商品見本を容易に自己の公開用ページに掲載することができる。これにより、公開用ページ開設者の嗜好をビジタに伝えることができる。
【発明を実施するための最良の形態】
【００３９】
以下、本発明の一実施の形態を図面にしたがって説明する。図１は、本発明の一実施の形態に係る見本提供システム１を示すブロック図であり、見本提供システム１は、ネットワークの一例であるインターネット２を利用して構築されている。このインターネット２上には、ブログサーバ３と、商品サーバとしての着信メロディサーバ４とが設けられており、該着信メロディサーバ４には、インターネット２上に設けられた基地局を含む移動体通信網を介して、ユーザ端末５ａが接続できるように構成されている。また、ブログサーバ３には、前記インターネット２を介して、ユーザ端末５ａ，５ｂやビジタ端末６が接続できるように構成されている。
【００４０】
ブログサーバ３は、データベース１１を備えており、データベース１１には、プログラムを記憶するためのプログラム記憶領域と、データを記憶するためのデータ記憶領域とが形成されている。このブログサーバは、通信機能を備えており、プログラム領域に記憶されたサーバープログラムに従って作動することにより、着信メロディサーバ４やユーザ端末５ａ，５ｂやビジタ端末６と通信ができるように構成されている。
【００４１】
データ記憶領域は、ブログサイトを利用する為に予め登録したユーザのブログＩＤとパスワードとが関連付けられて記憶されているとともに、各ユーザに割り当てられた公開用ページ２１を構築する為の設定内容が記憶されている。この設定内容としては、図２に示すように、公開用ページ２１を構成する題名データ２２や、ユーザーが書き込んだ日記データ２３や、プラグインされた試聴プレイヤ２５及び再生することのできる曲名データ２４等が挙げられる。試聴プレイヤは、例えばＦｌａｓｈ（登録商標）のファイルで提供される。
【００４２】
着信メロディサーバ４は、図１に示したように、データベース３１を備えており、データベース３１にも、プログラムを記憶するためのプログラム記憶領域と、データを記憶するためのデータ記憶領域とが形成されている。この着信メロディサーバ４は、通信機能を備えており、プログラム領域に記憶されたサーバープログラムに従って作動することにより、ブログサーバ３やユーザ端末５ａと通信ができるように構成されている。
【００４３】
データ記憶領域は、着信メロディサイトを利用する為に予め登録したユーザのユーザＩＤとパスワードとが関連付けられて記憶されているとともに、携帯電話用の商品である着信メロディの着信メロディデータと、前記着信メロディの一部を試聴可能な商品見本としての見本データである試聴データと関連付けられて記憶されている。また、前記データ記憶領域には、各ユーザに販売した着信メロディデータのリストが各ユーザ毎に記憶されており、リストは、購入毎に更新されるように構成されている。
【００４４】
ユーザ端末５ａ，５ｂは、ブログサイト及び着信メロディサイトを利用するユーザが利用する端末であり、着信メロディサイトを利用して着信メロディを購入する際には、携帯電話をユーザ端末５ａとして利用するとともに、ブログサイトでの設定変更では、インターネット２に接続できる環境を備えたパソコン（ＰＣ）がユーザ端末５ｂとして利用される。また、ビジタ端末６は、ブログサイトを閲覧するビジタが利用するパソコン（ＰＣ）で構成されており、該パソコン（ＰＣ）は、インターネット２に接続できる環境を備えている。
【００４５】
両端末５，６は、マイクロコンピュータを中心に構成されており、ＲＯＭ又はＲＡＭに記憶されたＷｅｂブラウザプログラムを作動することで、インターネット２を経由して各サーバ３，４と交信できるように構成されている。これにより、各端末５，６を利用することで、インターネット２を経由して各サーバ３，４に接続し、各サーバ３，４に構築されたサイト（ホームページ）にアクセスして、当該サイトを利用できるように構成されている。
【００４６】
以上の構成にかかる本実施の形態の動作を、図３〜図８に示すフローチャートに従って説明する。
【００４７】
（着信メロディ購入）
【００４８】
すなわち、ユーザが携帯電話用の着信メロディを購入する際には、携帯電話で構成されたユーザ端末５ａを利用して着信メロディサーバ４にアクセスする（Ｙ１）。このとき、ユーザ端末５ａは携帯電話からなり、基地局は、このユーザ端末５ａとの通信毎に送信される携帯電話固有の個体認識番号を取得するとともに、この個体識別番号に関連付けられた携帯ＩＤをユーザＩＤとして着信メロディサーバ４に送信する。なお、個体識別番号をユーザＩＤとして着信メロディサーバ４に送信しても良い。
【００４９】
すると、着信メロディサーバ４は、このユーザＩＤが、着信メロディサービスに登録されているか否かの確認処理を行った後（Ｃ１）、購入画面データをユーザ端末５ａに送信する（Ｃ３）。
【００５０】
この購入画面データを受信したユーザ端末５ａには、購入画面が表示されるので、この画面に従って購入手続きを行い、選択した着信メロディの楽曲ＩＤを着信メロディサーバ４に送信する（Ｙ３）。これを受けた着信メロディサーバ４は、データベース３１に前記楽曲ＩＤの着信メロディを購入した旨をリスト化にして記録し（Ｃ４）、楽曲ＩＤが示す着信メロディの着信メロディデータをユーザ端末５ａに送信する（Ｃ５）。これを受信したユーザ端末５ａでは、着信メロディデータを当該ユーザ端末５ａに記録して保存する（Ｙ４）。
【００５１】
このとき、ユーザがユーザ端末５ａを利用して着信メロディサーバ４に予めブログＩＤを送信して登録手続きを行うことにより、着信メロディサーバ４は、ユーザＩＤとブログＩＤとを対応付けて管理する。
【００５２】
（ブログページ設定変更）
【００５３】
次に、ユーザが公開用ページ２１に着信メロディの見本である試聴データを掲載する際には、ユーザ端末５ｂを利用してブログＩＤとパスワードを入力し、これらをブログサーバ３に送信することによって当該ユーザに割り当てられたブログサービスにログインする（Ｙ１１）。すると、ブログサーバ３からは、ブログページデータが送信されるので（Ｂ１１）、ユーザ端末５ｂにブログページを表示する（Ｙ１２）。そして、ユーザ端末５ｂを操作してブログページの設定変更要求をブログサーバ３に送信すると（Ｙ１３）、ブログサーバ３から設定変更ページデータが送られてくるので（Ｂ１２）、設定変更ページを表示する（Ｙ１４）。
【００５４】
この設定変更ページに表示された試聴プレイヤプラグインの追加ボタンを選択することで、試聴プレイヤプラグインの追加要求をブログサーバ３に対して送信すると（Ｙ１５）、ブログサーバ３は、ログイン時に入力されたブログＩＤを着信メロディサーバ４に送信する（Ｂ１３）。これを受けた着信メロディサーバ４は、このブログＩＤが、データベース３１に記憶されたいずれかのユーザＩＤに関連付けされていることを確認した後（Ｃ１２）、ログインできた旨をブログサーバ３に送信する（Ｃ１３）。
【００５５】
これにより、インターネット２上での着信メロディサービス用のユーザＩＤ及びパスワードのユーザとの遣り取りを省略することができ、セキュリティの向上と操作の簡素化を図ることができる。
【００５６】
なお、着信メロディサービス用のユーザＩＤとパスワードとをユーザ端末５ｂと遣り取りして取得し、これらを着信メロディサーバ４へ送信することによって、着信メロディサービスへの加入を確認しても良い。
【００５７】
このログインデータを受けたブログサーバ３では、着信メロディサーバ４に対して、このユーザが購入した着信メロディのリストの送信を要求し（Ｂ１６）、着信メロディサーバ４から購入した商品のリストを示すリストデータを着信メロディサーバ４から受信して取得する（Ｃ１４）。
【００５８】
そして、ブログサーバ３は、このリストデータが示す着信メロディを選択肢とする選択肢データを形成して、この選択肢データをユーザ端末５ｂに送信し（Ｂ１７）、ユーザ端末５ｂに選択肢を表示させる（Ｙ１８）。ここで、選択肢データとしては、当該ユーザが購入した総ての着信メロディを選択的可能に表示するするものであっても良い。
【００５９】
このとき、ユーザは、ユーザ端末５ｂを操作して表示した選択肢よりいずれかを選択することで、この選択された選択肢を示す掲載内容データを前記ブログサーバ３に送信する（Ｙ１９）。すると、ブログサーバ３では、このユーザに割り当てられた公開用ページ２１を構築する為の設定内容に、前記掲載内容データが示す試聴曲名と、試聴曲の楽曲ＩＤと、当該ユーザのブログＩＤと、この試聴曲の試聴曲データを再生する為の見本再生手段としての試聴プレイヤとを追加して更新する（Ｂ１８）。
【００６０】
（公開用ページ閲覧）
【００６１】
そして、ビジタがブログサーバ３で公開された公開用ページ２１を閲覧する際には、ビジタ端末６を利用してブログサーバ３に対し公開内容の閲覧を要求する（Ｖ２１）。すると、ブログサーバ３では、設定内容からページを作成して公開用ページ２１を示すページデータを閲覧要求したビジタ端末６に送信するので（Ｂ２１）、ビジタ端末６には、ページデータが示す公開用ページ２１が表示されるとともに、当該公開用ページ２１に設定された前記掲載内容、具体的には曲名２４（図２参照）が選択可能に表示される（Ｖ２２）。また、この公開用ページ２１にプラグインされた試聴プレイヤも同時に起動する。
【００６２】
このとき、ブログサーバ３では、この公開用ページ２１を構築する設定内容に設定されたブログＩＤを着信メロディサーバ４に送信して（Ｂ２２）、着信メロディサーバ４にて、このブログＩＤに対応するユーザＩＤが登録されているか否かの確認を行う（Ｃ２１）。
【００６３】
これにより、インターネット２上で公開される公開用ページ２１へのユーザＩＤ及びパスワードの記憶が不要となり、セキュリティの向上を図ることができる。
【００６４】
なお、着信メロディサービス用のユーザＩＤとパスワードとを公開用ページ２１を構築する設定内容に記憶しておき、これらを着信メロディサーバ４へ送信することによって、着信メロディサービスへの加入を確認しても良い。
【００６５】
ステップＣ２１での確認時において、前記ユーザが着信メロディサービスから退会しており、ブログＩＤに対応したユーザＩＤとパスワードが抹消されている場合には、未登録と判断されるので各処理を終了する。このように、試聴データ送信時にブログＩＤの登録を確認することで、当該ユーザの着信メロディサーバ４のサービスへの加入状態に応じて、前記試聴データの提供を停止することができる。
【００６６】
一方、ステップＣ２１にてブログＩＤの登録が確認された際には、確認できた旨を示す認証データをブログサーバ３に送信する（Ｃ２２）。これを受けたブログサーバ３では、試聴曲の再生ボタンを示す再生ボタンデータをビジタ端末６に送信し（Ｂ２３）、ビジタ端末６に再生ボタンを選択可能に表示する（Ｖ２３）。
【００６７】
ビジタ端末６において、表示された再生ボタンが選択され、この再生ボタンに関連付けられた楽曲ＩＤと共に再生要求がブログサーバ３に送信された際には（Ｖ２４）、この楽曲ＩＤと共に試聴データの送信要求を着信メロディサーバ４に送信する（Ｂ２４）。
【００６８】
これを受けた着信メロディサーバ４は、ブログサーバ３からの楽曲ＩＤに対応した試聴データを前記ブログサーバ３に送信し（Ｃ２３）、ブログサーバ３では、この試聴データをビジタ端末６に転送する（Ｂ２５）。すると、ビジタ端末６では、前記公開用ページ２１にプラグインされた試聴プレイヤによって試聴データが再生される（Ｖ２５）。
【００６９】
このように、ユーザは、着信メロディサーバ４から購入した着信メロディの試聴データを自己の公開用ページ２１に選択的に集めることができるとともに、再生可能に掲載することができる。これにより、公開用ページ２１開設者の音楽に対する嗜好をビジタに伝えることができる。
【００７０】
なお、商品としては、携帯電話の着信メロディに限定されるものでは無く、図９に示すように、前記着信メロディサーバ４に変えて商品を販売するＥＣサーバ５１を設定することで、他の商品と取り扱うことができる。
【００７１】
この場合、ＥＣサーバ５１のデータベース５２には、取り扱い商品データと、商品の一部の再生を可能とする体験データと関連付けて記憶する。前記商品がＤＶＤの場合には、ＤＶＤの一部を再生可能とする体験版画像データとし、図１０に示すように、公開用ページ２１には、ＤＶＤのタイトル６３を表示するようにする。
【００７２】
このとき、商品サーバとしてのＥＣサーバ５１にアクセスするユーザ端末５ｂは、パソコン（ＰＣ）で構成される。このように、ユーザ端末５ｂは、携帯電話のみならずパソコン（ＰＣ）で構成しても良い。
【００７３】
また、本実施の形態において、ビジタ端末６は、ブログサーバ３経由で試聴データを受信する場合について説明したが、これに限定されるものではなく、ビジタ端末６が直接着信メロディサーバ４にアクセスして試聴データを受信する形態であっても良い。
【００７４】
そして、前記商品としては、携帯電話の着信用メロディが挙げられ、着信メロディサイトで曲を購入するだけで、ユーザのブログ内に購入した曲の試聴環境を簡単に形成することができる。これにより、当該ユーザの音楽に対する嗜好をブログ訪問者に伝えることができる。また、前記商品が本の場合には、本の一部を掲載することも可能である。
【図面の簡単な説明】
【００７５】
【図１】本発明の一実施の形態を示すブロック図である。
【図２】同実施の形態で表示される公開用ページを示す説明図である。
【図３】同実施の形態の購入動作を示すフローチャートである。
【図４】同実施の形態のブログへの書き込み動作を示すフローチャートである。
【図５】図４に続くフローチャートである。
【図６】図５に続くフローチャートである。
【図７】同実施の形態のブログの閲覧動作を示すフローチャートである。
【図８】図７に続くフローチャートである。
【図９】本発明の他の実施の形態を示すブロック図である。
【図１０】同実施の形態で表示される公開用ページを示す説明図である。
【符号の説明】
【００７６】
１    見本供給システム
２    インターネット
３    ブログサーバ
４    着信メロディサーバ
５ａ  ユーザ端末
５ｂ  ユーザ端末
６    ビジタ端末
２１    公開用ページ
２４    曲名
【図１】
2006106808.tif 000003
【図２】
2006106808.tif 000004
【図３】
2006106808.tif 000005
【図４】
2006106808.tif 000006
【図５】
2006106808.tif 000007
【図６】
2006106808.tif 000008
【図７】
2006106808.tif 000009
【図８】
2006106808.tif 000010
【図９】
2006106808.tif 000011
【図１０】
2006106808.tif 000012